(57)【要約】  トランシーバ装置２０４は、通信規格に従うアンテナ選択をサポートするように構成されている。装置は、双方向通信化要素３２８と、送信機チェーンと、上流端において第１のアンテナポート３３６を有する第１の受信機チェーン３０８と、上流端において第２のアンテナポート３４２を有する第２の受信機チェーン３１０とを含むハードウェアサブシステム３００を備え、第１の受信機チェーン３０８と送信機チェーンとは、双方向通信化要素３２８を共有している。装置はさらに、アンテナ選択命令に応答して、第２のアンテナポート３４２を、第１の受信機チェーン３０８のエントリ点において第１の受信機チェーン３０８に一時的に接続するように構成された、信号出力先変換システム３３０、３５０、３７２を備え、それにより、第２のアンテナポート３４２からの信号経路を、第１の受信機チェーン３０８内へと繋がり、さらに上記のエントリ点よりも下流側において第２の受信機チェーン３１０内へと戻るよう、一時的に出力先変更する。
2019504546.tif 000002
【特許請求の範囲】
【請求項１】
通信規格に従うアンテナ選択をサポートするように構成されたトランシーバ装置において、
ハードウェアサブシステムであって、
双方向通信化要素と、
送信機チェーンと、
上流端において第１のアンテナポートを有する第１の受信機チェーン、ならびに上流端において第２のアンテナポートを有する第２の受信機チェーンであって、前記第１の受信機チェーンと前記送信機チェーンとが前記双方向通信化要素を共有している、第１の受信機チェーンならびに第２の受信機チェーンと、
を含むハードウェアサブシステム、および
アンテナ選択命令に応答して、前記第２のアンテナポートを、前記第１の受信機チェーンのエントリ点において該第１の受信機チェーンに一時的に接続するように構成され、それにより、前記第２のアンテナポートからの信号経路を、前記第１の受信機チェーン内へと繋がり、さらに前記エントリ点よりも下流側において前記第２の受信機チェーン内へと戻るよう、一時的に出力先変更する、信号出力先変換システム、
を含むことを特徴とするトランシーバ装置。
【請求項２】
前記第１の受信機チェーンの一部が、受信経路増幅機構を含み、かつ前記第２の受信機チェーンの一部も、前記受信経路増幅機構を含むことを特徴とする、請求項１に記載のトランシーバ装置。
【請求項３】
前記信号出力先変換システムが、前記受信経路増幅機構と、前記第１のアンテナポートおよび前記第２のアンテナポートとの間の接続を制御するように構成されていることを特徴とする、請求項２に記載のトランシーバ装置。
【請求項４】
前記第１の受信機チェーンが、第１の下流側処理部を含み、前記第２の受信機チェーンが、第２の下流側処理部を含むことを特徴とする、請求項１から３のいずれか１項に記載のトランシーバ装置。
【請求項５】
前記信号出力先変換システムが、前記受信経路増幅機構と、前記第１の下流側処理部および前記第２の下流側処理部との間の接続を制御するように構成されていることを特徴とする、請求項４に記載のトランシーバ装置。
【請求項６】
前記信号出力先変換システムが、前記第１の下流側処理部および前記第２の下流側処理部と、前記第１のアンテナポートおよび前記第２のアンテナポートとの間の予め決められた処理関係を、維持するように構成されていることを特徴とする、請求項４または５に記載のトランシーバ装置。
【請求項７】
前記信号出力先変換システムが、前記第１のアンテナポートおよび前記第２のアンテナポートと、前記受信経路増幅機構とに動作可能に接続された、アンテナスイッチを含んでいることを特徴とする、請求項１から６のいずれか１項に記載のトランシーバ装置。
【請求項８】
前記アンテナスイッチが、前記第１の受信機チェーンに関して、前記双方向通信化要素を介して前記受信経路増幅機構に動作可能に接続されていることを特徴とする、請求項２に従属する、請求項７に記載のトランシーバ装置。
【請求項９】
前記送信機チェーンが、送信経路増幅機構を含み、前記アンテナスイッチが、前記双方向通信化要素を介して前記送信経路増幅機構に接続されていることを特徴とする、請求項７に記載のトランシーバ装置。
【請求項１０】
前記受信経路増幅機構が、前記第１の受信機チェーンに関する第１の低ノイズ増幅器と、前記第２の受信機チェーンに関する第２の低ノイズ増幅器とを含むことを特徴とする、請求項２に従属する、請求項７に記載のトランシーバ装置。
【請求項１１】
前記第１の低ノイズ増幅器の出力部が、前記双方向通信化要素の受信側ポートに動作可能に接続されていることを特徴とする、請求項１０に記載のトランシーバ装置。
【請求項１２】
前記第２の低ノイズ増幅器の出力部が、前記アンテナスイッチに動作可能に接続されていることを特徴とする、請求項１０に記載のトランシーバ装置。
【請求項１３】
前記信号出力先変換システムが、信号経路回復要素を含み、前記第１の下流側処理部および前記第２の下流側処理部が、前記信号経路回復要素を含んでいることを特徴とする、請求項６に記載のトランシーバ装置。
【請求項１４】
前記信号経路回復要素が、前記第２のアンテナポートに端を発し前記第１の受信機チェーン内に出力先変更された前記信号経路を、前記第２の受信機チェーンの前記第２の下流側処理部に戻すように構成されており、それにより、前記第２の下流側処理部と前記第２のアンテナポートとの間の予め決められた処理関係を維持することを特徴とする、請求項１３に記載のトランシーバ装置。
【請求項１５】
前記第２のアンテナポートから前記第１の受信機チェーン内への前記信号経路の一時的な出力先変更を調整するように構成された、コントローラをさらに含むことを特徴とする、請求項１から１４のいずれか１項に記載のトランシーバ装置。
【請求項１６】
前記コントローラが、前記一時的な出力先変更の調整を、時間的に制御するように構成されていることを特徴とする、請求項１５に記載のトランシーバ装置。
【請求項１７】
前記第１の下流側処理部が、第１のアルゴリズム的データ処理経路を含み、前記第２の下流側処理部が、第２のアルゴリズム的データ処理経路を含み、かつ、前記信号経路回復要素は、前記第２のアンテナポートについてのサンプルデータが前記第２のアルゴリズム的データ処理経路により処理されることを保障するように構成されていることを特徴とする、請求項１３に記載のトランシーバ装置。
【請求項１８】
前記第１のアルゴリズム的データ処理経路に関して、前記サンプルデータがメモリに保存され、
前記信号経路回復要素は、前記サンプルデータが前記第１のアルゴリズム的データ処理経路ではなく前記第２のアルゴリズム的データ処理経路により処理されるように、前記サンプルデータへのアクセスを修正するように構成されている、
ことを特徴とする、請求項１７に記載のトランシーバ装置。
【請求項１９】
前記コントローラは、送信されたアンテナ選択命令を受信し、受信された該アンテナ選択命令に応答して、前記信号経路の一時的な出力先変更を調整するように構成されていることを特徴とする、請求項１５に記載のトランシーバ装置。
【請求項２０】
前記コントローラは、前記第１のアンテナポートと前記第２のアンテナポートとの間で、前記送信機チェーンの接続を切り換えるよう、前記アンテナスイッチに指示をするように構成されていることを特徴とする、請求項７に従属する、請求項１９に記載のトランシーバ装置。
【請求項２１】
前記第１の受信機チェーンが、第１のアナログ−デジタル変換器を含み、該第１のアナログ−デジタル変換器は、該第１のアナログ−デジタル変換器に関連付けられた第１の最大信号ヘッドルームの閾値要件を有し、かつ、前記コントローラは、前記第１の受信機チェーンに関する前記受信経路増幅機構を、前記第２のアンテナポートを介して受信した第１の信号に適用することが、前記第１の最大信号ヘッドルームの閾値要件が超過される結果をもたらすものであるか否かを特定するように構成されていることを特徴とする、請求項２に従属する、請求項１５に記載のトランシーバ装置。
【請求項２２】
前記第２の受信機チェーンが、第２のアナログ−デジタル変換器を含み、該第２のアナログ−デジタル変換器は、該第２のアナログ−デジタル変換器に関連付けられた第２の最大信号ヘッドルームの閾値要件を有し、かつ、前記コントローラは、前記第２の受信機チェーンに関する前記受信経路増幅機構を、前記第１のアンテナポートを介して受信した第２の信号に適用することが、前記第２の最大信号ヘッドルームの閾値要件が超過される結果をもたらすものであるか否かを特定するように構成されていることを特徴とする、請求項２１に記載のトランシーバ装置。
【請求項２３】
前記コントローラは、前記第１のアンテナポートおよび前記第２のアンテナポートをそれぞれ介して受信した第１の信号および第２の信号の両方の増幅について、前記第１の最大信号ヘッドルームの閾値要件および前記第２の最大信号ヘッドルームの閾値要件が満たされていることに応答して、前記第１の受信機チェーンについての第１のゲイン、および前記第２の受信機チェーンについての第２のゲインを、再プログラミングするように構成されていることを特徴とする、請求項２２に記載のトランシーバ装置。
【請求項２４】
前記コントローラは、儒いｓンンした前記第１の信号および前記第２の信号と関連付けられた符号のベースバンド処理に関して、ゲイン修正を適用するように構成されていることを特徴とする、請求項２２または２３に記載のトランシーバ装置。
【請求項２５】
前記信号出力先変換システムは、上りリンク送信に関して前記第２のアンテナポートの代わりに前記第１のアンテナポートを使用する状態から切換えを行う命令に応答して、前記第２のアンテナポートからの前記信号経路を、前記第１の受信機チェーン内へと一時的に出力先変更するように、構成されていることを特徴とする、請求項１から２４のいずれか１項に記載のトランシーバ装置。
【請求項２６】
前記送信機チェーンは、撤回命令が受信されるまで、前記命令に応答して前記第２のアンテナポートの代わりに前記第１のアンテナポートに持続的に接続された状態に維持されることを特徴とする、請求項２５に記載のトランシーバ装置。
【請求項２７】
請求項１から２６のいずれか１項に記載のトランシーバ装置を含む、使用者端末のトランシーバ装置。
【請求項２８】
請求項１から２７のいずれか１項に記載のトランシーバ装置を含む、モデム。
【請求項２９】
請求項２７に記載のトランシーバ装置を含む、使用者端末通信装置。
【請求項３０】
送信機チェーンと、上流端において第１のアンテナポートを有する第１の受信機チェーンと、上流端において第２のアンテナポートを有する第２の受信機チェーンとを含み、前記第１の受信機チェーンと前記送信機チェーンとが１つの双方向通信化要素を共有しているトランシーバ装置において、受信した信号を処理する方法であって、
上りリンク送信に関して、前記第２のアンテナポートの代わりに前記第１のアンテナポートを使用する状態から切換えを行う命令を受信する工程と、
受信された前記命令に応答して、前記第２のアンテナポートを、前記第１の受信機チェーンのエントリ点において該第１の受信機チェーンに一時的に接続する工程であって、それにより、前記第２のアンテナポートからの信号経路を、前記第１の受信機チェーン内へと繋がり、さらに前記エントリ点よりも下流側において前記第２の受信機チェーン内へと戻るよう、一時的に出力先変更する工程と、
を含むことを特徴とする方法。
【発明の詳細な説明】
【技術分野】
【０００１】
本発明は、トランシーバ装置であって、たとえばアンテナダイバーシティのための第１のアンテナポートおよび第２のアンテナポートを備えたタイプの、トランシーバ装置に関するものである。本発明はまた、受信した信号の処理方法であって、たとえば第１のアンテナおよび第２のアンテナにおいて信号を受信するタイプの、受信した信号の処理方法にも関するものである。
【背景技術】
【０００２】
直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に依存した通信システム、たとえば４Ｇ通信システムと呼ばれることもあるＬＴＥ（Ｌｏｎｇ  Ｔｅｒｍ  Ｅｖｏｌｕｔｉｏｎ）システムは、基地局を採用していることが知られており、それらの基地局は、ＵＥ（Ｕｓｅｒ  Ｅｑｕｉｐｍｅｎｔ；使用者端末）ユニットと通信可能なｅＮｏｄｅＢ（ｅｖｏｌｖｅｄ  Ｎｏｄｅ  Ｂ）と呼ばれることもある。ＵＥユニットは、典型的には、ＵＥに対してある地理的領域をカバーする無線通信サービスエリアを提供する、概念上の複数のセルをそれぞれサポートする複数のｅＮｏｄｅＢを含むネットワークインフラにより提供される１つまたは複数のセルラー通信サービスの、加入者により使用される。ｅＮｏｄｅＢおよびＵＥユニットは、モデムを含む通信機器の例である。
【０００３】
ＵＥユニット内においては、典型的には、ベースバンドＩＣと無線周波数（Ｒａｄｉｏ  Ｆｒｅｑｕｅｎｃｙ；ＲＦ）ＩＣとが協働して、送信機チェーンと受信機チェーンとを有するトランシーバ・アーキテクチャをサポートし、これらの送信機チェーンおよび受信機チェーンは、それぞれ上りリンク通信と下りリンク通信とに用いられる直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）通信方式の異なるバリエーションに準拠した動作をサポートする。しかしながら、ＲＦおよびベースバンドＩＣは、単一のＩＣによってサポートされてもよい。ＬＴＥ通信システムについていえば、ＯＦＤＭ方式は周波数分割二重（Ｆｒｅｑｕｅｎｃｙ  Ｄｉｖｉｓｉｏｎ  Ｄｕｐｌｅｘｉｎｇ；ＦＤＤ）システムと共に用いられ、そこでは、たとえばシステム送信帯とシステム受信帯といった異なる周波数帯においてではあるが、送信と受信とが同時に行われる。
【０００４】
このタイプのシステムでは、複数のアンテナの使用を伴う空間的ダイバーシティの利点を活かす実用技術として、アンテナ選択（Ａｎｔｅｎｎａ  Ｓｅｌｅｃｔｉｏｎ；ＡＳ）の技術が用いられている。ＡＳの１つのタイプとしては、ＵＥユニットの１対のアンテナからＵＥユニットの１つのアンテナを選択することが可能な送信ＡＳ（Ｔｒａｎｓｍｉｔ  ＡＳ；ＴＡＳ）、たとえばＬＴＥ規格のＴＳ３６．１２３  ｖ８．０８、セクション８．７で提示されているＴＡＳが挙げられる。ＬＴＥ規格によれば、この特性をサポートすることは任意（オプショナル）である。しかしながら、サポートされる場合には、所与のＵＥユニットは複数のアンテナを有することが知られている。コストの制約のため、アンテナの数は典型的には２本または４本である。たとえば、ＵＥユニットは、第１のデュプレクサを介して第１のトランシーバチェーンに接続された第１のアンテナと、第２のデュプレクサを介して第２のトランシーバチェーンに接続された第２のアンテナとを含むものとされてもよい。各トランシーバチェーンは、それぞれ送信機チェーンと受信機チェーンとを含んでいる。ＴＡＳ機能の目的は、ＵＥユニットが上りリンク通信のために最良のアンテナを使用することを保障する点にある。
【０００５】
この点につき、ＴＡＳ機能がネットワークによりサポートされている場合には、ｅＮｏｄｅＢはサウンディング信号を利用し、かかる信号の一例はいわゆるサウンディング参照信号（Ｓｏｕｎｄｉｎｇ  Ｒｅｆｅｒｅｎｃｅ  Ｓｉｇｎａｌ；ＳＲＳ）である。ｅＮｏｄｅＢは、受信したＳＲＳを用いて、ＵＥユニットの各アンテナとｅＮｏｄｅＢの各アンテナとの間の上りリンクチャネルの、品質Ｈを測定する。ここで、チャネル品質Ｈは、すべての上りリンクアンテナの組合せについて特定される。上りリンクチャネルの品質は、最良の上りリンクチャネル品質を提供するアンテナのサブセットを識別するために用いられる。この例では、ｅＮｏｄｅＢは、上りリンクチャネルの品質Ｈの評価に基づいて、ＵＥユニットが所有する２つのアンテナのうちの１つを選択する。最良の上りリンクチャネル品質と関連付けられたアンテナを識別した後、ｅＮｏｄｅＢは、いわゆる物理上りリンク共有チャネル（Ｐｈｙｓｉｃａｌ  Ｕｐｌｉｎｋ  Ｓｈａｒｅｄ  ＣＨａｎｎｅｌ；ＰＵＳＣＨ）を用いて、いずれのアンテナを通信に用いるかという点につき、かかる情報を上りリンクの許可制御メッセージ内に暗号化することにより、ＵＥユニットに指示を送る。
【０００６】
しかしながら、ＴＡＳが実装されるためには、ＵＥユニットの両方のアンテナが、そのアンテナが選択されたときに送信機との同時動作を可能とするために、それぞれのトランシーバチェーンを必要とする。このことは、かなりの複雑さを招くこととなる。なぜならば、デュプレクサは狭帯域の要素であり、各トランシーバチェーンの各送信機チェーンの電力増幅器は、対応の適切なデュプレクサに切り換えられる必要があるためである。
【０００７】
そのように、各トランシーバチェーンに対して１組であるデュプレクサの組を必要とする点は、削減の利益が期待される製造コストを代表するものである。この点に関し、ＬＴＥ規格のリリース８では、ＵＥユニットは、複数の受信アンテナを有するが、送信アンテナは１つしか有さないものとされている。これは、コストを最小限に抑え、かつハードウェア設計を単純化するために、１つのみの送信機チェーン（１つの電力増幅器を含む）が採用されているためである。そのように、このコストを削減した実装形態では、ＵＥユニットは、たとえば、２つのアンテナと、１つの送信機チェーンと、２つの受信機チェーンとを含み、一方の受信機チェーンと送信機チェーンとがデュプレクサを介して一方のアンテナに接続され、他方の受信機チェーンが他方のアンテナに接続されたものとされる。
【０００８】
しかしながら、ＴＡＳをサポートするためにトランシーバのコストおよび複雑さを削減する方法を考える場合には、ＵＥユニットが複数のアンテナを所有するのは、ＴＡＳ目的のためだけではなく、たとえば多入力多出力（Ｍｕｌｔｉｐｌｅ  Ｉｎｐｕｔ  Ｍｕｌｔｉｐｌｅ  Ｏｕｔｐｕｔ；ＭＩＭＯ）チャネルの受信をサポートする等の目的のためでもある点を、思い起こさなくてはならない。結果として、モデム構成のあらゆる修正は、そのモデムが、ＵＥユニットの受信機チェーンおよびｅＮｏｄｅＢの送信機チェーンにより用いられるチャネル等化アルゴリズムに関して、マルチパス特性を最適化するために使用されている特定の前提事項に従わないものとならないよう、保障する必要がある、この点に関し、採用されるチャネル等化アルゴリズムは、ＵＥユニットの２つのアンテナポート間において、チャネル特性同士の相関性が極めて低く独立性が高いことを想定している。
【発明の概要】
【課題を解決するための手段】
【０００９】
本発明の第１の態様によれば、通信規格に従うアンテナ選択をサポートするように構成されたトランシーバ装置において：ハードウェアサブシステムであって：双方向通信化要素と；送信機チェーンと；上流端において第１のアンテナポートを有する第１の受信機チェーン、ならびに上流端において第２のアンテナポートを有する第２の受信機チェーンであって、上記の第１の受信機チェーンと送信機チェーンとが上記の双方向通信化要素を共有している、第１の受信機チェーンならびに第２の受信機チェーンと；を含むハードウェアサブシステム；および、アンテナ選択命令に応答して、上記の第２のアンテナポートを、上記の第１の受信機チェーンのエントリ点においてその第１の受信機チェーンに一時的に接続するように構成され、それにより、上記の第２のアンテナポートからの信号経路を、上記の第１の受信機チェーン内へと繋がり、さらに上記のエントリ点よりも下流側において上記の第２の受信機チェーン内へと戻るよう、一時的に出力先変更する、信号出力先変換システム；を含むことを特徴とするトランシーバ装置が提供される。
【００１０】
送信機チェーンは、単一の送信機チェーンであってもよい。
【００１１】
第１の受信機チェーンの一部は、受信経路増幅機構を含んでいてもよく、かつ第２の受信機チェーンの一部も、受信経路増幅機構を含んでいてもよい。
【００１２】
上記の信号出力先変換システムは、受信経路増幅機構と、第１のアンテナポートおよび第２のアンテナポートとの間の接続を制御するように、構成されてもよい。
【００１３】
第１の受信機チェーンは、第１の下流側処理部を含んでいてもよく、第２の受信機チェーンは、第２の下流側処理部を含んでいてもよい。
【００１４】
信号出力先変換システムは、受信経路増幅機構と、上記の第１の下流側処理部および第２の下流側処理部との間の接続を制御するように、構成されてもよい。
【００１５】
信号出力先変換システムは、上記の第１の下流側処理部および第２の下流側処理部と、上記の第１のアンテナポートおよび第２のアンテナポートとの間の予め決められた処理関係を、維持するように構成されてもよい。
【００１６】
双方向通信化要素は、アンテナ側ポート、送信側ポート、および受信側ポートを含んでいてもよく、この受信側ポートは、第１の受信機チェーンに関する受信経路増幅機構に動作可能に接続されていてもよい。
【００１７】
信号出力先変換システムは、上記の第１のアンテナポートおよび第２のアンテナポートと、受信経路増幅機構とに動作可能に接続された、アンテナスイッチを含むものであってもよい。
【００１８】
アンテナスイッチは、第１の受信機チェーンに関して、上記の双方向通信化要素を介して受信経路増幅機構に動作可能に接続されていてもよい。
【００１９】
送信機チェーンは、送信経路増幅機構を含むものとされてもよく、アンテナスイッチは、上記の双方向通信化要素を介して、上記の送信経路増幅機構に接続されていてもよい。
【００２０】
送信経路増幅機構は、電力増幅器を含むものであってもよい、電力増幅器の出力部は、上記の双方向通信化要素の送信側ポートに動作可能に接続されてもよい。
【００２１】
受信経路増幅機構は、上記の第１の受信機チェーンに関する第１の低ノイズ増幅器と、上記の第２の受信機チェーンに関する第２の低ノイズ増幅器とを含むものとされてもよい。
【００２２】
第１の低ノイズ増幅器の出力部は、上記の双方向通信化要素の受信側ポートに動作可能に接続されてもよい。
【００２３】
第２の低ノイズ増幅器の出力部は、上記のアンテナスイッチに動作可能に接続されてもよい。
【００２４】
上記の信号出力先変換システムは、信号経路回復要素を含むものとされてもよく、上記の第１の下流側処理部および第２の下流側処理部は、上記の信号経路回復要素を含むものとされてもよい。
【００２５】
信号経路回復要素は、第２のアンテナポートに端を発し第１の受信機チェーン内に出力先変更された信号経路を、第２の受信機チェーンの上記の第２の下流側処理部に戻すように構成されてもよく、それにより、第２の下流側処理部と第２のアンテナポートとの間の予め決められた処理関係を維持してもよい。
【００２６】
信号経路を上記のように第２の下流側処理部に戻すことにより、上記の第２のアンテナポートに端を発する信号経路の一時的な出力先変更が完了され得る。
【００２７】
装置は、第２のアンテナポートから第１の受信機チェーン内への信号経路の一時的な出力先変更を調整するように構成された、コントローラをさらに含むものであってもよい。
【００２８】
コントローラは、上記の一時的な出力先変更の調整を、時間的に制御するように構成されていてもよい。
【００２９】
上記の第１の下流側処理部は、第１のアルゴリズム的データ処理経路を含むものであってもよく、上記の第２の下流側処理部は、第２のアルゴリズム的データ処理経路を含むものであってもよく、かつ、上記の信号経路回復要素は、第２のアンテナポートについてのサンプルデータが第２のアルゴリズム的データ処理経路により処理されることを保障するように、構成されてもよい。
【００３０】
第１のアルゴリズム的データ処理経路に関して、サンプルデータがメモリに保存されてもよく、上記の信号経路回復要素は、サンプルデータが第１のアルゴリズム的データ処理経路ではなく第２のアルゴリズム的データ処理経路により処理され得るよう、上記のサンプルデータへのアクセスを修正するように構成されてもよい。
【００３１】
コントローラは、送信されたアンテナ選択命令を受信し、その受信されたアンテナ選択命令に応答して、信号経路の一時的な出力先変更を調整するように構成されてもよい。
【００３２】
コントローラは、第１のアンテナポートと第２のアンテナポートとの間で、上記の送信機チェーンの接続を切り換えるよう、アンテナスイッチに指示をするように構成されてもよい。
【００３３】
第１の受信機チェーンは、第１のアナログ−デジタル変換器であって、その第１のアナログ−デジタル変換器に関連付けられた第１の最大信号ヘッドルームの閾値要件を有する第１のアナログ−デジタル変換器を含むものとされてもよく、かつ、コントローラは、第１の受信機チェーンに関する受信経路増幅機構を、第２のアンテナポートを介して受信した第１の信号に適用することが、上記の第１の最大信号ヘッドルームの閾値要件が超過される結果をもたらすものであるか否かを特定するように構成されてもよい。
【００３４】
第２の受信機チェーンは、第２のアナログ−デジタル変換器であって、その第２のアナログ−デジタル変換器に関連付けられた第２の最大信号ヘッドルームの閾値要件を有する第２のアナログ−デジタル変換器を含むものとされてもよく、かつ、コントローラは、第２の受信機チェーンに関する受信経路増幅機構を、第１のアンテナポートを介して受信した第２の信号に適用することが、上記の第２の最大信号ヘッドルームの閾値要件が超過される結果をもたらすものであるか否かを特定するように構成されてもよい。
【００３５】
コントローラは、第１のアンテナポートおよび第２のアンテナポートをそれぞれ介して受信した第１の信号および第２の信号の両方の増幅について、上記の第１の最大信号ヘッドルームの閾値要件および上記の第２の最大信号ヘッドルームの閾値要件が満たされていることに応答して、第１の受信機チェーンについての第１のゲイン、および第２の受信機チェーンについての第２のゲインを、再プログラミングするように構成されてもよい。
【００３６】
コントローラは、受信した第１の信号および第２の信号と関連付けられた符号のベースバンド処理に関して、ゲイン修正を適用するように構成されてもよい。
【００３７】
信号出力先変換システムは、上りリンク送信に関して第２のアンテナポートの代わりに第１のアンテナポートを使用する状態から切換えを行う命令に応答して、第２のアンテナポートからの信号経路を、第１の受信機チェーン内へと一時的に出力先変更するように、構成されてもよい。
【００３８】
送信機チェーンは、撤回命令が受信されるまで、上記の命令に応答して第２のアンテナポートの代わりに第１のアンテナポートに持続的に接続された状態に、維持されてもよい。
【００３９】
本発明の第２の態様によれば、本発明の第１の態様に関連して上記で規定した装置を含む、使用者端末のトランシーバ装置が提供される。
【００４０】
本発明の第３の態様によれば、本発明の第２の態様に関連して上記で規定したトランシーバ装置を含む、モデムが提供される。
【００４１】
本発明の第４の態様によれば、本発明の第２の態様に関連して上記で規定したトランシーバ装置を含む、使用者端末通信装置が提供される。
【００４２】
本発明の第５の態様によれば、送信機チェーンと、上流端において第１のアンテナポートを有する第１の受信機チェーンと、上流端において第２のアンテナポートを有する第２の受信機チェーンとを含み、上記の第１の受信機チェーンと上記の送信機チェーンとが１つの双方向通信化要素を共有しているトランシーバ装置において、受信した信号を処理する方法であって：上りリンク送信に関して、第２のアンテナポートの代わりに第１のアンテナポートを使用する状態から切換えを行う命令を受信する工程と；受信された上記の命令に応答して、第２のアンテナポートを、第１の受信機チェーンのエントリ点において第１の受信機チェーンに一時的に接続する工程であって、それにより、第２のアンテナポートからの信号経路を、第１の受信機チェーン内へと繋がり、さらに上記のエントリ点よりも下流側において第２の受信機チェーン内へと戻るよう、一時的に出力先変更する工程と；を含むことを特徴とする方法が提供される。
【００４３】
このようにして、異なる受信機チェーン内に出力先変更された受信信号に対して、本来意図されていない増幅設定を適用することによる影響を、緩和することのできる装置および方法を提供することが可能となる。加えて、使用される双方向通信化要素の数が少なくされることにより、ＴＡＳおよびＳＲＳ送信をサポートすることに伴う技術的な複雑さが軽減される。
【図面の簡単な説明】
【００４４】
【図１】使用者端末ユニットが通信ネットワークの一部において動作している様子を示した模式図
【図２】本発明の１つの実施形態を構成する図１の使用者端末ユニットを、より詳細に示した模式図
【図３】図２の使用者端末ユニットのトランシーバ装置の一部を、より詳細に示した模式図
【図４】本発明の別の１つの実施形態を構成する、図３のトランシーバ装置についての信号処理方法の一部を示したフローチャート
【図５】図４の方法をより詳細に示したフローチャート
【図６】図４の方法の改良形態を示したフローチャート
【図７】本発明のさらに別の１つの実施形態を構成する、図３の使用者端末ユニットのトランシーバ装置の一部を示した模式図
【発明を実施するための形態】
【００４５】
以下、本発明の少なくとも１つの実施形態を、添付の図面を参照しながら説明するが、これは単なる例示である。以下の説明全体を通して、類似の部分を特定するのに同一の参照番号が使用される。
【００４６】
図１を参照すると、無線通信システム、たとえばＬＴＥ（Ｌｏｎｇ  Ｔｅｒｍ  Ｅｖｏｌｕｔｉｏｎ）通信システム１００において、ある地理的領域をカバーする無線通信アクセスを提供するように配置された複数のセルにより、通信ネットワークがサポートされている。この例では、説明を単純かつ簡潔にするために、１つのセルのみが示されている。しかしながら、当業者であれば、通常は、通信ネットワーク全体に亘って、より多くの数のセルが敷設されていることを理解するであろう。ここで、セル１０２は、ＬＴＥ通信システム１００においてはｅＮｏｄｅＢ（ｅｖｏｌｖｅｄ  Ｎｏｄｅ  Ｂ）１０４と呼ばれる、基地局によりサポートされている。ｅＮｏｄｅＢ  １０４は、大気インターフェースを介して、通信装置、たとえばＵＥ（Ｕｓｅｒ  Ｅｑｕｉｐｍｅｎｔ；使用者端末）ユニット１０６と無線通信することができる。ｅＮｏｄｅＢ  １０４は、ＥＰＣ（Ｅｖｏｌｖｅｄ  Ｐａｃｋｅｔ  Ｃｏｒｅ）１０８に、動作可能に接続されている。しかしながら、ここで説明する例はＵＥユニット１０６に関するものであるので、説明を明確かつ簡潔にするために、無線通信ネットワークのインフラに関するさらなる詳細は、ここでは説明しない。さらに、ここで説明する例はＬＴＥ通信システム１００との関連で説明されているが、当業者であれば、複数のアンテナの使用およびアンテナ選択をサポートする他の種類の通信ネットワークにも、それらの例が適用可能であることを理解するであろう。かかる他の種類のネットワークには、たとえば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信規格やＷｉＦｉ規格（ＩＥＥＥ  ８０２．１１）に準拠して動作する通信ネットワークのような、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）通信方式に準拠して動作する通信ネットワークが含まれる。
【００４７】
図２に移ると、ＬＴＥ通信システム１００内で動作する使用者端末（ＵＥ）機器１０６／２００は、処理リソース２０２を含んでおり、この処理リソース２０２は、この例では、セルラー通信端末のチップセットである。処理リソース２０２は、トランシーバモジュール２０４に接続されており、トランシーバモジュール２０４は、アンテナモジュール２１０に接続されている。
【００４８】
ＵＥユニット２００はまた、たとえばＲＡＭ  ２１２である揮発性メモリと、たとえばデジタルメモリ２１４である不揮発性メモリとを有しており、これらはそれぞれ処理リソース２０２に接続されている。処理リソース２０２はさらに、マイク２１６、スピーカーユニット２１８、キーパッド２２０およびディスプレイ２２２にも接続されている。当業者であれば、上記で述べたＵＥユニット２００のアーキテクチャは他の要素も含んでいるが、それらの追加の要素は、説明を明確かつ簡潔に維持するために、ここでは詳細に説明しなかったことを理解するであろう。
【００４９】
トランシーバモジュール２０４は、ハードウェアサブシステムによりサポートされており、トランシーバ２０４は、ＵＥユニット２００のモデムの一部である。モデムは、たとえばＬＴＥ規格で規定されているようにして、ＯＦＤＭ通信方式に準拠する無線ネットワークアクセスを提供するように構成されている。ここで説明する例では、モデムとの用語は、ＯＦＤＭ通信方式に準拠する動作をサポートすることのできる、あらゆる適切な信号変調および／または復調装置を包含するものと理解されるべきである。ハードウェアサブシステムは、他のサブシステムと共にトランシーバモジュール２０４に寄与する、ハードウェアおよび／またはソフトウェア要素の集合である。
【００５０】
図３を参照すると、ＯＦＤＭ通信方式に準拠して構成されたハードウェアサブシステム３００は、図２のトランシーバモジュール２０４をサポートするための集積回路（Ｉｎｔｅｇｒａｔｅｄ  Ｃｉｒｃｕｉｔ；ＩＣ）を備えている。この例では単一のＩＣが使用されているが、当業者であれば、ＲＦおよびベースバンド処理が別々のＩＣを用いて行われるような他の実装形態、たとえばベースバンドＩＣと無線周波数（Ｒａｄｉｏ  Ｆｒｅｑｕｅｎｃｙ；ＲＦ）ＩＣとを用いて行われるような実装形態も、可能であることを理解するであろう。この例では、ＩＣは、複数のステージに構成された機能要素であるＲＦ処理要素を含んでいる。ＩＣはまた、複数のステージに構成された機能要素であるベースバンド処理要素も含んでいる。受信機チェーンに関していえば、これらのベースバンド処理要素は、入来ＯＦＤＭ信号が、キャリア周波数周辺を中心とした状態から周波数のベースバンド域周辺にある状態に変換された後、すなわちキャリア周波数が除去された周波数域に変換された後に、それらの入来ＯＦＤＭ信号を処理する。送信機チェーンに関しては逆のことがいえ、具体的には、周波数のベースバンド域内の信号がアナログ領域に移行されキャリア周波数上に上方変換されるのに先立って、その周波数のベースバンド域内の信号が、これらの要素により処理される。受信機チェーンに関していえば、ＲＦ処理要素は、受信されたＯＦＤＭ信号を周波数のベースバンド域に下方変換するために、複数ステージに構成された機能要素である。送信機チェーンに関していえば、ＲＦ処理要素は、周波数のベースバンド域周辺を中心とする受信されたデジタル信号を、キャリア信号上に変調するように構成された機能要素である。
【００５１】
この例および本明細書で説明する他の例においては、ＲＦ処理の一部のみが説明されるが、これは、ＲＦ処理の他の要素は、当業者であれば容易に理解するものであるところ、ここで説明する例において詳述される独創的な概念の理解には関連しないものであるためである。したがって、そのような他の要素は、ここではより詳しく説明はしない。よって、本明細書で説明する例は、物理下りリンク制御チャネル（Ｐｈｙｓｉｃａｌ  Ｄｏｗｎｌｉｎｋ  Ｃｏｎｔｒｏｌ  ＣＨａｎｎｅｌ；ＰＤＣＣＨ）において通信されトランシーバにより受信されるＴＡＳ（Ｔｒａｎｓｍｉｔ  Ａｎｔｅｎｎａ  Ｓｅｌｅｃｔ；送信アンテナ選択）コマンドに対する、トランシーバの応答に関連してのみ、説明される。
【００５２】
図３から看取できるように、この例では、トランシーバモジュール２０４は、送信機チェーン３０６、第１の受信機チェーン３０８、および第２の受信機チェーン３１０を含んでいる。送信機チェーン３０６に付随するＲＦ処理要素は、ベースバンド処理要素に接続された入力部を有するデジタル−アナログ変換器（ＤＡＣ；Ｄｉｇｉｔａｌ−ｔｏ−Ａｎａｌｏｇｕｅ  Ｃｏｎｖｅｒｔｅｒ）要素３１２を含んでいる。ＤＡＣ要素３１２の出力部は、送信信号ミキサ要素３１４の送信信号入力部に動作可能に接続されている。送信信号ミキサ要素３１４は、送信局部発振器からの信号を受信するための、送信局部発振器入力部３１６を有する。送信信号ミキサ要素３１４の出力部は、第１のゲイン制御入力部３２０を有する駆動増幅器要素３１８の入力部に、動作可能に接続されている。この例では、駆動増幅器要素３１８は、アナログ領域内で動作している。駆動増幅器要素３１８の出力部は、バラン要素３２２の入力部に動作可能に接続されており、バラン要素３２２の出力部は、送信経路増幅機構の一例を構成するものでありこの例ではやはりアナログ領域内で動作する電力増幅器要素３２４の、入力部に動作可能に接続されている。電力増幅器要素３２４は、第２のゲイン制御入力部３２６と、双方向通信化要素（たとえばデュプレクサ３２８）の送信側ポートに動作可能に接続された出力部とを有する。図示されてはいないが、ハードウェアサブ要素は、異なる周波数帯で動作する異なる複数の通信ネットワークへの無線ネットワークアクセスをサポートするように、複数のデュプレクサを含んでいてもよい。そのため、デュプレクサ切換要素（図示せず）が、ＵＥユニット２００が要求する態様で、異なる複数のデュプレクサ間の切換えを行うことを容易とする。
【００５３】
この例では、信号出力先変換システムは、デュプレクサ３２８のアンテナ側ポートに動作可能に接続された第１のポート３３２を有する、アンテナスイッチ３３０を含んでいる。アンテナスイッチ３３０の第２のポート３３４は、ハードウェアサブシステム３００の第１のアンテナポート３３６に接続されている。信号出力先変換システムは、当然ながら、本明細書中で後述するＴＡＳ機能をサポートするための、他の機能要素も含んでいる。さらに、信号出力先変換システムは、実装態様の好みに応じて、ＲＦ処理要素中においてのみ存在していてもよいし、ＲＦ処理要素とベースバンド処理要素との両方に亘って分散させられていてもよい。たとえば、後述する別の例から明らかとなるように、信号出力先変換システムは、ベースバンド内において信号出力先変換システムのいくらかの機能を提供するために、一部がベースバンド処理要素から構成されてもよい。
【００５４】
第１のアンテナポート３３６に戻って参照すると、第１のアンテナポート３３６は、アンテナモジュール２１０に動作可能に接続されている。ここで、アンテナモジュール２１０は、第１のアンテナ３３８と第２のアンテナ３４０とを含んでいる。第１のアンテナ３３８は、第１のアンテナポート３３６に接続されている。第２のアンテナ３４０は、ハードウェアサブシステム３００の第２のアンテナポート３４２に接続されている。
【００５５】
トランシーバモジュール２０４の第１の受信機チェーン３０８は、その上流端に第１のアンテナポート３３６を有し、デュプレクサ３２８、具体的にはデュプレクサ３２８の受信側ポートが、第１の低ノイズ増幅器要素３４３に接続されている。第１の低ノイズ増幅器要素３４３の出力部は、第１の受信信号ミキサ要素３４４の受信信号入力部に動作可能に接続されており、第１の受信信号ミキサ要素３４４は、受信局部発振器からの信号を受信するための、受信局部発振器入力部３４６を有する。この例では、第１の受信信号ミキサ要素３４４の出力部は、たとえば信号スイッチ３５０である信号経路回復要素を介して、第１のアナログ−デジタル変換器（ＡＤＣ；Ａｎａｌｏｇｕｅ−ｔｏ−Ｄｉｇｉｔａｌ  Ｃｏｎｖｅｒｔｅｒ）要素３４８の入力部に動作可能に接続されている。この点に関し、第１の受信信号ミキサ要素３４４の出力部は、信号スイッチ３５０の第１のポート３５２に接続されており、信号スイッチ３５０の第２のポート３５４が、第１のＡＤＣ要素３４８の入力部に接続されている。第１のＡＤＣ要素３４８の出力部は、上記で述べたＩＣのベースバンド処理要素に動作可能に接続されている。この例では、第１の受信機チェーン３０８は、第１のアンテナポート３３６と、デュプレクサ３２８と、第１の低ノイズ増幅器要素３４３と、第１の受信信号ミキサ要素３４４と、第１のＡＤＣ要素３４８とを含み、さらに後続の下流側のベースバンド処理要素も含んでいる。
【００５６】
第２のアンテナポート３４２は、アンテナスイッチ３３０の第３のポート３５６に動作可能に接続されている。トランシーバモジュール２０４の第２の受信機チェーン３１０は、その上流端に第２のアンテナポート３４２を有する。アンテナスイッチ３３０の第４のポート３５８は、第２の低ノイズ増幅器要素３６０に動作可能に接続されている。第２の低ノイズ増幅器要素３６０の出力部は、第２の受信信号ミキサ要素３６２の受信信号入力部に動作可能に接続されており、第２の受信信号ミキサ要素３６２は、受信局部発振器からの信号を受信するための、受信局部発振器入力部３６４を有する。この例では、第２の受信信号ミキサ要素３６２の出力部は、たとえば信号スイッチ３５０である信号経路回復要素を介して、第２のＡＤＣ要素３６６の入力部に動作可能に接続されている。この点に関し、第２の受信信号ミキサ要素３６２の出力部は、信号スイッチ３５０の第３のポート３６８に接続されており、信号スイッチ３５０の第４のポート３７０が、第２のＡＤＣ要素３６６の入力部に接続されている。第２のＡＤＣ要素３６６の出力部もまた、上記で述べたＩＣのベースバンド処理要素に動作可能に接続されている。この例では、第２の受信機チェーン３１０は、第２のアンテナポート３４２と、第２の低ノイズ増幅器要素３６０と、第２の受信信号ミキサ要素３６２と、第２のＡＤＣ要素３６６とを含み、さらに後続の下流側のベースバンド処理要素も含んでいる。
【００５７】
この例では、第１の低ノイズ増幅器要素３４３および第２の低ノイズ増幅器要素３６０は、トランシーバモジュール２０４の受信経路増幅機構の一部を構成する。さらに、第１の受信機チェーン３０８は、その第１の受信機チェーン３０８の一部を構成する受信経路増幅機構と、ベースバンド処理ステージを含む第１の下流側処理部とを含む。同様に、第２の受信機チェーン３１０は、その第２の受信機チェーン３１０の一部を構成する受信経路増幅機構と、ベースバンド処理ステージを含む第２の下流側処理部とを含む。
【００５８】
アンテナスイッチ３３０と信号スイッチ３５０との動作を連係させ、さらにアンテナスイッチ３３０と信号スイッチ３５０との動作連係に関連する他の所望の信号処理方策をサポートするために、信号出力先変換システムは、コントローラ、たとえばＴＡＳ管理要素３７２を含んでおり、このＴＡＳ管理要素３７２は、第１の制御ライン３７４によってアンテナスイッチ３３０に動作可能に接続されており、第２の制御ライン３７６によって遅延要素３０２に動作可能に接続されている。遅延要素３０２は、信号スイッチ３５０に動作可能に接続されている。ＴＡＳ管理要素３７２はまた、アンテナ選択ライン３７８によって、ベースバンド処理要素にも動作可能に接続されている。ＴＡＳ管理要素３７２はさらに、ＡＧＣ通信ライン３８２によって、ＡＧＣ（Ａｕｔｏｍａｔｉｃ  Ｇａｉｎ  Ｃｏｎｔｒｏｌ；自動ゲイン制御）要素３８０にも接続されており、ＡＧＣ要素３８０は、上記で述べた受信経路増幅機構に動作可能に接続されている。
【００５９】
実際の動作において（図４−６）、かつＴＡＳの使用前においては、下りリンク信号および上りリンク信号は、当業者が予想するであろうやり方で、ＲＦ処理要素およびベースバンド処理要素により処理される。この点に関し、ＵＥユニット２００がサポートする様々な機能の中で、ＵＥユニット２００のベースバンド処理要素およびＲＦ処理要素は、とりわけ、ＬＴＥ規格に準拠するサウンディング参照信号（Ｓｏｕｎｄｉｎｇ  Ｒｅｆｅｒｅｎｃｅ  Ｓｉｇｎａｌ；ＳＲＳ）を生成し送信するように構成されている。ＳＲＳの生成および送信は、周期的な動作モードに従うものであってもよいし、オンデマンド型の動作モードに従うものであってもよい。ＳＲＳの生成ならびに送信のための技術、およびＳＲＳが送信される環境は、当業者には知られた事項であるので、ＳＲＳの送信に関するさらなる詳細は、ここではこれ以上説明しない。
【００６０】
ｅＮｏｄｅＢ  １０４は、ＵＥユニット２００からＳＲＳを受信し、そのＳＲＳを用いてチャネル品質を計算する。チャネル品質は、ＵＥユニット２００の各アンテナおよびｅＮｏｄｅＢ  １０４の各アンテナと関連付けられた、それぞれの上りリンクチャネルについて計算され、計算されたチャネル品質は、ＵＥユニット２００とｅＮｏｄｅＢ  １０４との間の上りリンク通信に第１のアンテナ３３８と第２のアンテナ３４０とのいずれが用いられるべきかを決定するために、あるいはかかる決定を補助するために、ｅＮｏｄｅＢ  １０４により使用される。
【００６１】
ＵＥユニット２００が上りリンク信号を送信するアンテナを切り換えるべきであるとｅＮｏｄｅＢ  １０４が決定すると、ｅＮｏｄｅＢ  １０４は、ＵＥユニット２００にＴＡＳ命令を送信する。ＴＡＳ命令は、ＰＤＣＣＨを用いて、ｅＮｏｄｅＢ  １０４からＵＥユニット２００に送信される。
【００６２】
この例では、ＵＥユニット２００は、当初は第１のアンテナ３３８を用いて上りリンク信号を送信しているものとする。そのため、アンテナスイッチ３３０は、デュプレクサ３２８を、第１のアンテナポート３３６に接続している。したがって、第１の受信機チェーン３０８は、第１のアンテナポート３３６を介して受信された信号を処理するように構成されている。アンテナスイッチ３３０はまた、第２のアンテナポート３４２を第２の低ノイズ増幅器要素３６０に接続しており、したがって、第２の受信機チェーン３１０は、第２のアンテナポート３４２を介して受信された信号を処理するように構成されている。この特定の初期構成は、単なる例示であり、これと逆の構成も初期構成として同様にあり得るものである。
【００６３】
この特定のアンテナ対受信機チェーンの対応関係を採用した動作中において、ｅＮｏｄｅＢ  １０４は、上りリンク通信に使用されているアンテナを入れ替えるようＵＥユニット２００に命令することを決定し、したがってＵＥユニット２００は、かかる決定に続いてＴＡＳ命令を受信する。ＴＡＳ命令は、受信され、ＲＦ処理要素およびベースバンド処理要素によって協働して処理される。復号後、多数のベースバンド処理要素が協働して、アンテナ選択ライン３７８によってＴＡＳ管理要素３７２に伝達されるアンテナ切換命令を発生させ、このアンテナ切換命令は、ＴＡＳ管理要素３７２により受信待ちされている（ステップ４００）ものである。
【００６４】
アンテナ切換命令の受信に応答して、ＴＡＳ管理要素３７２は、デュプレクサ３２８を、第２のアンテナポート３４２、したがって第２のアンテナ３４０に接続するように、かつ、第２の低ノイズ増幅器要素３６０の入力部を、第１のアンテナポート３３６、したがって第１のアンテナ３３８に接続するように、アンテナスイッチ３３０に対して命令を送る（ステップ４０２）。この結果、第１のアンテナポート３３６から第１の受信機チェーン３０８に沿って延在するように意図されている第１の信号受信経路は、代わりに、第２の信号受信経路の一部を辿ることとなり、ここで第２の信号受信経路は、第２のアンテナポート３４２から第２の受信機チェーン３１０に沿って延在するように意図されている経路である。第１の信号受信経路の一部を辿るように変更される第２の信号受信経路についても、上記と逆の説明が当てはまる、すなわち逆の場合も同様である。したがって、信号出力先変換システム、とりわけこの例におけるアンテナスイッチ３３０が、受信経路増幅機構と第１のアンテナポート３３６および第２のアンテナポート３４２との接続を制御することが理解できるであろう。
【００６５】
このアンテナポート接続の切換えは、ｅＮｏｄｅＢ  １０４の上りリンクの要請には適合しているが、第１の受信機チェーン３０８および第２の受信機チェーン３１０は特定のアンテナポートと共に使用するように構成されており、この構成は特定のチャネル条件を想定しているので、第１の受信機チェーン３０８および第２の受信機チェーン３１０に接続されるアンテナポートを切り換えることは、第１の受信機チェーン３０８および第２の受信機チェーン３１０を用いた下りリンク通信の復調性能を悪化させるように作用する。これは、受信機チェーン３０８および３１０が、急遽、想定していたのとは異なるチャネル条件に曝される信号を処理しなくてはならなくなるためである。受信信号につき想定していた処理のそのような途絶は、ＵＥユニット２００による非サウンディングデータの送信中にも起こり得るし、サウンディング性能の目的のためにアンテナ切換えが行われる必要があるときにも起こり得る。
【００６６】
第１のアンテナポート３３８および第２のアンテナポート３４２で受信され意図しない（すなわちお互いの相手の）信号経路を辿らされる信号が、受信経路増幅ステージ３７３に続く段階において、第１の受信機チェーン３０８および第２の受信機チェーン３１０の残りの部分により処理されることを、防止するまたは最小限に抑えることにより、アンテナ接続の切換えにより生じる影響を緩和できることが認識された。このことは、たとえば第２のアンテナポート３４２についていえば、信号出力先変換システムが、第２のアンテナポート３４２を一時的にのみ第１の受信機チェーン３０８に接続し、それにより、第２のアンテナポート３４２からの第２の信号経路を、第１の受信機チェーン３０８内へと一時的に出力先変換し、その後、エントリ／出力先変換点の下流側において第２の受信器チェーン３１０内へと戻すことを必要とする。同様に、この例では、たとえば第１のアンテナポート３３８についていえば、信号出力先変換システムは、第１のアンテナポート３３８を一時的にのみ第２の受信機チェーン３１０に接続し、それにより、第１のアンテナポート３３６からの第１の受信信号経路を、第２の受信機チェーン３１０内へと一時的に出力先変換し、その後、エントリ／出力先変換点の下流側において第１の受信器チェーン３０８内へと戻す。
【００６７】
この動作を、ＵＥユニット２００がデータを送信しているとき、たとえば持続時間中において多数の符号を継続させているときにおいて、アンテナ切換えが必要となる実用ケースに関して実現するために、ＴＡＳ管理要素３７２は、たとえば第１の受信信号ミキサ要素３４４の出力部を第２のＡＤＣ  ３６６の入力部に接続することにより、第１の受信信号ミキサ要素３４４の出力部を、第２の受信機チェーン３１０内へ、とりわけ第２の受信機チェーン３１０の第２の下流側処理部内へと接続するよう、信号スイッチ３５０に命令する（ステップ４０４）。同様に、信号スイッチ３５０は、たとえば第２の受信信号ミキサ要素３６２の出力部を第１のＡＤＣ要素３４８の入力部に接続することにより、第２の受信信号ミキサ要素３６２の出力部を、第１の受信機チェーン３０８内へ、とりわけ第１の受信機チェーン３０８の第１の下流側処理部内へと接続する。それぞれの受信機チェーン内において、切換え（および任意選択肢として増幅）に曝されているアナログ信号に対応するデータのみが、それらのアナログ信号が元来由来するアンテナポート３３６、３４２と関連付けられた適切な受信機チェーン３０８、３１０に戻るように出力先変更されることが保障されるよう、既に第１の受信機チェーン３０８および第２の受信機チェーン３１０内を通って伝搬しているデータが、信号スイッチ３５０を通過して、ＴＡＳ命令へのＵＥユニット２００の応答（すなわちアンテナスイッチ３３０によるアンテナポート３３６、３４２の切換え）に対する補償を行うための方策による影響を受けないようにするため、ＴＡＳ管理要素３７２により信号スイッチ３５０へと発せられた命令は、遅延要素３０２による遅延処理を受ける。アンテナスイッチ３３０による切換えによる影響を受ける信号に関しては、第１の受信器チェーン３０８については、第１のアンテナポート３３６と関連付けられた信号経路が、第２の受信機チェーン３１０の一部内へと一時的に出力先変更され、第２の受信器チェーン３１０については、第２のアンテナポート３４２と関連付けられた信号経路が、第１の受信機チェーン３０８の一部内へと一時的に出力先変更される。このように、信号出力先変換システムは、受信経路増幅機構と、第１の受信機チェーン３０８の第１の下流側処理部および第２の受信機チェーン３１０の第２の下流側処理部との接続を、制御することが理解できる。さらに、ＴＡＳ管理要素３７２は、信号経路の一時的な出力先変更を調整し、かかる一時的な出力先変更の調整は、ＴＡＳ管理要素３７２により時間的に制御される。しかしながら、アンテナ切換えがより速く行われなくてはならない場合、たとえば非サウンディングデータを送信する必要のあるＵＥユニット２００がない状況下でサウンディングのために切換えが必要とされている場合等には、アナログ領域内において信号スイッチ３５０により実行される切換えが、アンテナポートの接続状態が以前の構成に戻るように切り換えられる必要のある時点より前の十分な時間フレーム内において応答を行うよう、十分なスピードで実行可能である場合を除き、アナログ領域内において信号スイッチ３５０により実行される切換えは、代わりに、後述するようにデジタル領���内で行われてもよい。
【００６８】
図５を参照すると、ＴＡＳ命令の受信（ステップ４２０）後、かつＴＡＳ管理要素３７２およびアンテナスイッチ３３０により実施される状態変化が有効である（ステップ４２２）間において、第１の信号経路のために意図された第１の信号が、第１のアンテナ３３８において受信され、第１のアンテナポート３３６に適用される第１の受信ＲＦ信号に変換される。しかしながら、上記で述べたようなアンテナポートの切換えの結果、アンテナスイッチ３３０は、信号スイッチ３５０の動作の結果としての一時的な措置であるが、第１の受信ＲＦ信号が、第２の受信機チェーン３１０の第２の受信信号経路を辿るようになす（ステップ４２４）。しかしながら、第１の受信ＲＦ信号は、第２の受信信号ミキサ要素３６２によってベースバンド周波数に下方変換されるようにミキシングされて信号スイッチ３５０の第３のポート３６８に適用される第１の受信ベースバンド信号を生成する前に、まずは、第２の低ノイズ増幅器要素３６０の入力部に適用され、第２の低ノイズ増幅器要素３６０により増幅される。その後、信号スイッチ３５０は、第１の受信ベースバンド信号を、第１の受信機チェーン３０８の下流側処理部（たとえば、第１の受信ベースバンド信号が、後続の処理ステージ、たとえばベースバンド処理要素によりサポートされている処理ステージにより処理される前に、第１の受信ベースバンド信号がアナログ領域からデジタル領域へと変換される、第１のＡＤＣ要素３４８）による処理のために、第１の受信機チェーン３０８に戻すように出力先変更する。
【００６９】
同様に、第２の信号経路のために意図された第２の信号は、第２のアンテナ３４０において受信され、第２のアンテナポート３４２に適用される第２の受信ＲＦ信号に変換される。しかしながら、上記で述べたようなアンテナポートの切換えの結果、アンテナスイッチ３３０は、信号スイッチ３５０の動作の結果としての一時的な措置であるが、第２の受信ＲＦ信号が、第１の受信機チェーン３０８の第１の受信信号経路を辿るようになす（ステップ４２６）。しかしながら、第２の受信ＲＦ信号は、第１の受信信号ミキサ要素３４４によってベースバンド周波数に下方変換されるようにミキシングされて信号スイッチ３５０の第１のポート３５２に適用される第２の受信ベースバンド信号を生成する前に、まずは、デュプレクサ３２８の入力部に適用され、その後、増幅のため、第１の低ノイズ増幅器要素３４３へと伝搬する。その後、信号スイッチ３５０は、第２の受信ベースバンド信号を、第２の受信機チェーン３１０の下流側処理部（たとえば、第２の受信ベースバンド信号が、後続の処理ステージ、たとえばベースバンド処理要素によりサポートされている処理ステージにより処理される前に、第２の受信ベースバンド信号がアナログ領域からデジタル領域へと変換される、第２のＡＤＣ  ３６６）による処理のために、第２の受信機チェーン３１０に戻すように出力先変更する。第１および第２のベースバンド信号を、それら信号の適切な受信機チェーンに戻すことにより、信号経路の一時的な出力先変更処理が完了する。
【００７０】
上記の下りリンク信号の処理は、ＴＡＳ管理要素３７２によりＴＡＳ命令が実施されている間（ステップ４２８）、信号処理経路の切換えが反転させられるまで継続される。その後、次のＴＡＳ命令が受信され（ステップ４２０）、上記で既に説明したようにしてＴＡＳ管理要素３７２が第１の受信機チェーン３０８および第２の受信機チェーン３１０における下りリンク処理を変更する（ステップ４２２）まで、トランシーバモジュール２０４は、信号を経路変更に従わせることなく、第１のアンテナポート３３６および第２のアンテナポート３４２において受信された信号の処理を継続する（ステップ４３０）。
【００７１】
理解されるように、アンテナポートと受信機チェーンの下流側処理部との間の予め決められた処理関係が、信号出力先変換システムによって維持される。たとえば、第１の受信機チェーン３０８の第１の下流側処理部および第２の受信機チェーン３１０の第２の下流側処理部と、第１のアンテナポート３３６および第２のアンテナポート３４２との間において、予め決められた処理関係が維持される。
【００７２】
別の実施形態では、受信経路増幅機構３７３による信号の増幅に関連して、さらなる対策がＴＡＳ管理ユニット３７２により取られる。その理由は、第１の低ノイズ増幅器要素３４３により増幅されるＲＦ信号が、第１のアンテナポート３３６において受信される第１のＲＦ信号であり、第２の低ノイズ増幅器要素３６０により増幅されるＲＦ信号が、第２のアンテナポート３４２において受信される第２のＲＦ信号であるという想定で、第１の低ノイズ増幅器要素３４３および第２の低ノイズ増幅器要素３６０が構成されている点にある。
【００７３】
ＴＡＳ命令、およびそれに応答した信号経路切換えの実施に続いて、ＵＥユニット２００は、上りリンク符号間の次の境界において、信号、たとえば非サウンディングまたは非参照信号を送信する必要がある。しかしながら、上りリンク送信を同期させるために前倒しされたタイミングを使用しているため、下りリンク符号間の境界は、必ずしも上りリンク符号の境界と同期していない。したがって、切り換えられたアンテナからの符号の処理を開始する必要性は、下りリンク符号の受信途中において開始するかもしれず、好ましいタイミングである下りリンク符号間の境界において開始するとは限らない。
【００７４】
したがって、上記で述べたように、第１のアンテナポート３３６および第２のアンテナポート３４２を介して受信された信号に適用される増幅は、突然入れ替えられ、このことは、それぞれ第１のアンテナポート３３６および第２のアンテナポート３４２を介して当初受信されていた第１のＲＦ信号と第２のＲＦ信号との処理に、影響を与え得る。
【００７５】
第１および第２のＲＦ信号に入れ替えられた増幅を適用すること、すなわち第１のＲＦ信号に第２の受信機チェーン３１０の増幅を適用し、第２のＲＦ信号に第１の受信機チェーン３０８の増幅を適用することによる影響を緩和するため、信号出力先変換システムは、以下の対策を適用する。図６に移ると、上りリンク符号の境界が下りリンク符号の境界と同期している場合には、ＴＡＳ管理要素３７２は、単純に、第１の受信機チェーン３０８のＡＧＣ（Ａｕｔｏｍａｔｉｃ  Ｇａｉｎ  Ｃｏｎｔｒｏｌ；自動ゲイン制御）設定を第２の受信機チェーン３１０の受信チェーン増幅に適用し、第２の受信機チェーン３１０のＡＧＣ設定を第１の受信機チェーン３０８の受信チェーン増幅に適用してよい。このことは、第１のＲＦ信号および第２のＲＦ信号が、自己の信号経路ではなくお互いの相手の信号経路を一時的に辿っている状況においても、それらの信号が正しく増幅されることを保障する。しかしながら、より一般的な話として、上りリンク符号の境界は、下りリンク符号の境界と同期してはいない。ＬＴＥ規格は、データの送信のため信号出力先変換システムによりＴＡＳ命令が始動された後に、ＵＥユニット２００が後続の下りリンク符号境界の到達を待つことを許容しておらず、そのため、信号出力先変換システムは、第１のアンテナポート３３６および第２のアンテナポート３４２において受信されたＲＦ信号に誤った増幅が適用されることによる影響を緩和するための方策を取ることがある。
【００７６】
したがって、ＴＡＳ管理要素３７２によってアンテナ切換命令がアンテナ選択ライン３７８上で受信された際、ＴＡＳ管理要素３７２は、ＡＧＣ通信ライン３８２を介して、ＡＧＣ要素３８０から、第１の受信機チェーン３０８に関する第１のＡＧＣ設定、および第２の受信機チェーン３１０に関する第２のＡＧＣ設定を取得する（ステップ４５０）。しかしながら、信号の歪みを緩和するために、ＴＡＳ管理要素３７２は、第１のＡＤＣ要素３４８および第２のＡＤＣ要素３６６に関する信号ヘッドルーム閾値データを保持する。この点に関連して、第１のＡＤＣ要素３４８および第２のＡＤＣ要素３６６が正しく動作するために、それらのＡＤＣの入力部に適用されるデジタル化されるべき信号のレベル（振幅）は、ＡＤＣのビットの全範囲が使用されるが、オーバーフローは生じさせないようなレベルとされるべきである。入力信号のレベルが高すぎると、それにより引き起こされたオーバーフローが、第１のＡＤＣ要素３４８および第２のＡＤＣ要素３６６のそれぞれの出力部において、デジタル化された信号のクリッピングまたは歪みを結果としてもたらす。異なる受信機チェーンについて意図されたＡＧＣ設定を使用することによりそのような歪みが起きそうか否かを特定するために、ＴＡＳ管理要素３７２は、取得されたＡＧＣ設定を用いて、第１および第２のＡＧＣ設定がそれぞれ第１および第２のＲＦ信号への適用を本来意図したものであるときの、それら第１および第２のＡＧＣ設定をそれぞれ第２および第１のＲＦ信号に適用した場合の影響を、計算する（ステップ４５２および４５４）。これらの計算（ステップ４５２および４５４）は、本来意図されていないＡＧＣ設定の適用方法が、増幅後の信号のそれぞれのレベルが第１のＡＤＣ要素３４８および第２のＡＤＣ要素３６６の最大信号ヘッドルームの閾値を超えるような結果をもたらすものであるか否かを特定する（ステップ４５６）ために、行われる。
【００７７】
第１および第２のＲＦ信号の正しくない増幅は、それら第１および第２のＲＦ信号の両方の増幅結果が第１のＡＤＣ要素３４８および第２のＡＤＣ要素３６６の信号ヘッドルームの閾値を超えるような結果をもたらすものであると、ＴＡＳ管理要素３７２が特定した場合には、ＴＡＳ管理要素３７２は、第１の受信機チェーン３０８および第２の受信機チェーン３１０に関して適用されるゲイン設定の入替えすなわち再プログラミング（ステップ４５８）を、（第１の低ノイズ増幅器要素３４３および第２の低ノイズ増幅器要素３６０のゲイン設定の階段状特性と関連付けられた実装遅延を考慮しつつ）可能な限り早くに行うように、ＡＧＣ要素に指示を出す。
【００７８】
あるいは、計算の結果、第１および第２のＲＦ信号の両方の正しくない増幅が、第１および第２のＲＦ信号の両方について信号ヘッドルームの閾値を超えるような結果をもたらすものではないと特定された場合には、ＴＡＳ管理要素３７２は、第１および第２のＲＦ信号の両方の正しくない増幅が、増幅された信号の一方のみが信号ヘッドルームの閾値を超えるような結果をもたらすものであるか否かを特定する（ステップ４６０）。第１および第２のＲＦ信号の一方の増幅によって、信号ヘッドルームの閾値を超えるような結果がもたらされることが特定された場合には、ＴＡＳ管理要素３７２は、下りリンク符号の次の境界において、第１の受信機チェーン３０８および第２の受信機チェーン３１０に関して適用されるＡＧＣ設定の入替えすなわち再プログラミング（ステップ４６２）を行うように、ＡＧＣ要素３８０に指示を出す。任意選択肢として、信号出力先変換システムは、第１の受信機チェーン３０８および第２の受信機チェーン３１０に関する正しいＡＧＣ設定の適用の結果として、ＡＤＣの飽和状態が覆されると、ベースバンド処理パラメータを設定する（ステップ４６４）
【００７９】
しかしながら、増幅された第１および第２のＲＦ信号のいずれもが第１のＡＤＣ要素３４８および第２のＡＤＣ要素３６６の飽和をもたらさない場合には、一時的な方策として、信号出力先変換システムは、符号の復調を改善するようにベースバンド処理パラメータを設定し（ステップ４６６）、ＴＡＳ管理要素３７２は、下りリンク符号の次の境界において、第１の受信機チェーン３０８および第２の受信機チェーン３１０に関して適用されるＡＧＣ設定の入替えすなわち再プログラミング（ステップ４６８）が行われるように、ＡＧＣ要素３８０に指示を出す。
【００８０】
上記で行われた変更は、上記で説明したアンテナ選択の変更が反転させられるまで、たとえば逆の命令が出されるまで、適用される。当業者であれば、ＡＧＣ要素３８０によりＡＧＣ設定が適用される際、これらの設定の適用は性質上増分的なものであって、適用されるＡＧＣ設定が達成されるまでには、複数のＡＧＣ更新サイクルを経る必要がある場合もあり得る点も、理解するはずである。
【００８１】
信号スイッチ３５０は、たとえば信号戻し要素のような、信号経路回復要素の１つの具体例を構成する。この点に関し、信号経路回復要素は、任意の適切な機構であってよく、たとえば、信号経路を、その信号経路にとって予め決められていた（たとえば元来意図されていた）処理経路に戻すことのできる、物理的要素、またはソフトウェアコードのモジュール、またはそれらの組合せであってもよい。そのため、当業者であれば、信号経路回復要素は、必ずしもＲＦ処理要素中に存在しなくてはならないものではなく、第１の受信機チェーン３０８および第２の受信機チェーン３１０の下流側処理部内の他の個所、たとえばベースバンド処理要素中に配されてもよいものであることを、理解するはずである。
【００８２】
また、信号スイッチ３５０により実行される機能は、デュプレクサ３２８の下流側において、第１の受信機チェーン３０８および第２の受信機チェーン３１０中の任意の個所に位置付けられてもよく、たとえば受信経路増幅ステージ３７３の直前に位置付けられてもよい点も、理解されるべきである。しかしながら、図３に示されるように信号スイッチ３５０を配置すれば、第１の受信機チェーン３０８および第２の受信機チェーン３１０中の図示されたステージにおける信号のより低い周波数のため、処理上の利益を実現することができる。図７を参照すると、別の実施形態では、ＲＦ信号処理とベースバンド信号処理との両方を実行するために、単一のトランシーバＩＣ  ５００が再び採用される。しかしながら、信号スイッチ３５０により実行される動作が、アナログ領域ではなくデジタル領域において実行され、したがってベースバンド信号処理の一部としての実装により適したものとなるように、先に述べた例のアーキテクチャが修正される。
【００８３】
この点に関し、物理的な信号スイッチ３５０はもはや使用されず、したがって先に述べた例のアーキテクチャは、以下のように修正される。第１の受信信号ミキサ要素３４４の出力部は、第１のＡＤＣ要素３４８の入力部に動作可能に接続される。同様に、第２の受信信号ミキサ要素３６２の出力部は、第２のＡＤＣ要素３６６の入力部に動作可能に接続される。この例では、第１のＡＤＣ要素３４８の出力部は、たとえばメモリ要素である、バッファ５０２に動作可能に接続されている。同様に、第２のＡＤＣ要素３６６の出力部は、バッファ５０２に動作可能に接続されている。図７ではバッファ５０２に対する別々の入力部が図示されているが、当業者であれば、これらは概念的なものであり、単に第１の受信機チェーン３０８および第２の受信機チェーン３１０を通るデータの流れの理解を助けるために用いられている図解である点を理解するであろう。結果として、バッファ５０２は、デジタル受信増幅機構５０４にも動作可能に接続されており、このデジタル受信増幅機構５０４は、バッファ５０２に接続された入力部をそれぞれ有する、第１のデジタルゲイン要素５０６と第２のデジタルゲイン要素５０８とを含んでいる。第１のデジタルゲイン要素５０６および第２のデジタルゲイン要素５０８の出力部は、それぞれ第１の受信機チェーン３０８および第２の受信機チェーン３１０の他のベースバンド処理要素に動作可能に接続されている。他のベースバンド処理要素の識別および機能は、当業者であれば容易に理解するものであるところ、ここで説明する例において詳述される独創的な概念の理解には関連しないものであるため、それらの要素については、ここではより詳しくは説明しない。しかしながら、デジタル領域への変換に続く後続のデジタル処理は、アルゴリズム的ベースバンドデータ処理等の、アルゴリズム的データ処理を構成する点を理解されたい。上記で使用した用語表現の文脈においては、第１の下流側処理部および第２の下流側処理部が、それぞれ第１のアルゴリズム的データ処理経路および第２のアルゴリズム的データ処理経路を含んでいることとなる。
【００８４】
トランシーバＩＣ  ５００は、ＴＡＳ管理要素３７２に伝達されるべきＴＡＳ命令をＰＤＣＣＨから抽出するための、ＰＤＣＣＨデコーダ５１０も含んでいる。この例では、第１のデジタルゲイン要素５０６および第２のデジタルゲイン要素５０８を制御するために、ＡＧＣ要素３８０も、さらなる遅延要素５１２を介してデジタル受信増幅機構５０４に動作可能に接続されている。
【００８５】
実際の動作においては、トランシーバＩＣ  ５００は、図３に関連して上記で説明したのと類似の動作をする。しかしながら、信号経路を回復するのに、すなわちアンテナスイッチ３３０による信号経路変更を反転させるのに、アナログ信号の切換えを行うのに代えて、バッファ５０２を用いて第１の受信機チェーン３０８および第２の受信機チェーン３１０を通るデータの流れを調整する。切り換えられ対向する低ノイズ増幅器要素３４３、３６０により増幅されたアナログ信号に対応するデータのみが、それらのアナログ信号が元来由来するアンテナポート３３６、３４２と関連付けられた適切な受信機チェーン３０８、３１０に戻るように出力先変更されることが保障されるよう、切り換えられたアナログ信号に対応するデータがバッファ５０２に到達するようになし、かつ個々の信号経路の切換えを受けなかったがまだ受信機チェーン３０８、３１０を通過中である現存のアナログ信号に対応するデータについては出力先変更を行わないようになすため、ＴＡＳ管理要素３７２により第２の制御ライン３７６を介してバッファ５０２へと発せられた命令は、遅延要素３０２による遅延処理を受ける。
【００８６】
データ経路の出力先変更はバッファ５０２により行われるため、当業者においては、この処理は、たとえば保存されたデータを第１のデジタルゲイン要素５０６および第２のデジタルゲイン要素５０８に供給する際にバッファ５０２により保存されているデータにアクセスするのに使用するポインタの操作といった、多くの異なる技術により実現可能であることを理解するはずである。そのようにして、第１のデジタルゲイン要素５０６がバッファ５０２にアクセスすると、第２の受信機チェーン３１０に関連して保存されていたデータがアクセスされ、第２のデジタルゲイン要素５０８がバッファ５０２にアクセスすると、第１の受信機チェーン３０８に関連して保存されていたデータがアクセスされる。したがって、このようなデータアクセスを使用した結果として、信号経路回復要素は、第１のアンテナポート３３６に関連するサンプルデータが第１のアルゴリズム的データ処理経路により処理され、第２のアンテナポート３４２に関連するサンプルデータが第２のアルゴリズム的データ処理経路により処理されるよう、保障する。この点に関連し、サンプルデータの保存時においては、第１のアンテナポート３３６に関連するサンプルデータは、第２のアルゴリズム的データ処理経路に関して保存され、第２のアンテナポート３４２に関連するサンプルデータは、第１のアルゴリズム的データ処理経路に関して保存される。しかしながら、保存されたサンプルデータへのアクセスを上記で述べたように変更することにより、この「クロスオーバー」の保存状態が反転させられる。
【００８７】
上記でも説明したが図７においてより詳細に示されているように、入れ替えられた、すなわち本来意図していないように適用されるパラメータを用いた信号処理について補償を行うために、ベースバンド処理パラメータが修正されてもよい。この点に関し、ベースバンド処理パラメータの修正の一例としては、第１のデジタルゲイン要素５０６および／または第２のデジタルゲイン要素５０８により適用されるデジタルゲインを、ＡＧＣ要素３８０によって修正することが挙げられる。
【００８８】
これも図７に関連してより詳細に示されているように、ＰＤＣＣＨデコーダ５１０は、ＰＤＣＣＨに関連するデータを受信し、ＴＡＳ命令を抽出して、アンテナ選択ライン３７８上においてＴＡＳ管理要素３７２に対するアンテナ切換命令を発生させる。ＲＦ  ＩＣおよびベースバンドＩＣが別個のＩＣである場合には、ＰＤＣＣＨデコーダ５１０は、たとえばベースバンドＩＣ内に実装される。
【００８９】
図７の例では、第１の受信機チェーン３０８および第２の受信機チェーン３１０内の信号の出力先変更および回復は、単にわずかに異なる手法により実現される。この点に関連し、信号経路の回復は、デジタル領域内においてであるが依然として行われる。
【００９０】
非サウンディングデータの送信がない状況下でサウンディングを実行する目的で、アンテナポート３３６、３４２の切換えが比較的短い時間中（たとえば１つの符号の持続時間分）のみ継続されるような実用ケースの例においては、受信経路増幅機構３７３はサウンディング実行の持続時間について有効な受信経路増幅を提供する程には高速に応答できないと想定すると、信号経路の回復がアナログ領域で行われるかデジタル領域で行われるかにかかわらず、デジタル領域内で増幅が行われてもよい。実際、アンテナ間の高速切換えを必要とするような周期的なサウンディング方式が採用される場合には、アンテナの再度の切換えが行われる時点より前の時間内では、ＡＧＣ要素３８０が第１の低ノイズ増幅器要素３４３および第２の低ノイズ増幅器要素３６０の設定更新を行うのに十分な時間がある可能性は低い（技術の進歩に伴って、および／または所与の通信規格における十分長い符号持続時間を用いる場合には、アンテナ係数のそのような高速の調整も可能であるかもしれない点は認識されるが）。しかしながら、そのような状況下では、ＬＴＥ規格に従って実装されることもあるアンテナ間の高速切換えの影響を緩和するために、ベースバンド処理パラメータが調整される。
【００９１】
上記の例で述べたように、使用される実装形態に応じて信号スイッチ３５０、バッファ５０２およびデジタル受信増幅機構５０４により行われる切換えをそれぞれ遅延させるために、遅延要素３０２およびさらなる遅延要素５１２が採用される。正しい遅延が適用されることを保障し、それにより早すぎるまたは遅すぎる切換えを回避するために、適用される遅延が、たとえば工場における較正処理において実行されるような、較正計測によって決定されてもよい。
【００９２】
当業者であれば、上記で説明した実装形態は、添付の特許請求の範囲の技術的範囲内において考えられる様々な実装形態の、いくつかの例に過ぎないことを理解するであろう。実際、当業者であれば、アンテナ切換え／選択の実行に関するここでの説明は、ＬＴＥ規格に従いつつ、異なる複数の方法で実行可能であると理解するはずである。たとえば、上記ではサウンディング信号について言及がなされたが、当業者であれば、上記の例は、ＬＴＥおよび／または他の通信規格において、チャネル特性を評価する目的でｅＮｏｄｅＢまたは任意の類似の対象物に伝達される参照信号として使用され得る、他の参照信号との関連においても、同様に適用可能であると理解するはずである。
【００９３】
疑念を避けるために述べると、「下りリンク」との用語の使用は、ｅＮｏｄｅＢからＵＥユニットへの通信を指すものである。したがって、ＵＥユニット２００は、上記の例においては、複数の下りリンク受信機チェーンを有している。同様に、「上りリンク」との用語の使用は、ＵＥユニットからｅＮｏｄｅＢへの通信を指すものである。したがって、ＵＥユニット２００は、上記の例においては、１つの上りリンク送信機チェーンを有している。
【００９４】
上記の実施形態のシステムおよび方法は、説明したような構造的要素およびユーザインタラクションに加えて、コンピュータシステム（とりわけコンピュータハードウェアまたはコンピュータソフトウェア）内や、特定用途向けに製造または適合化された集積回路内にも、実装することができる。
【００９５】
上記の実施形態の方法は、コンピュータまたはその他のプロセッサにおいて実行された際に上記で説明した（１つまたは複数の）方法を実行するように構成された、コンピュータプログラムとして、またはコンピュータプログラム製品として、またはコンピュータプログラムを担持するコンピュータ読取可能な媒体として、提供されてもよい。
【００９６】
「コンピュータ読取可能な媒体」との用語は、これに限定されるものではないが、コンピュータまたはコンピュータシステムにより直接的に読取りおよびアクセスを行うことができる、任意の媒体を含むものである。媒体は、これに限定されるものではないが、
−  フロッピーディスク、ハードディスク記憶媒体、ならびに磁気テープのような、磁気記憶媒体、
−  光ディスクもしくはＣＤ−ＲＯＭのような光記憶媒体、
−  ＲＡＭ、ＲＯＭならびにフラッシュメモリを含むメモリのような、電気記憶媒体、および
−  磁気／光記憶媒体のような、上記の各媒体のハイブリッドもしくは組合せ、
を含み得る。
【００９７】
以上、本発明の具体的な例を説明してきたが、当業者であれば、多くの等価な変更形態およびバリエーションが可能である点を理解するであろう。したがって、上記で説明した本発明の例示的な実施形態は、説明目的のものであり、限定目的のものではないと捉えられる。本発明の精神および技術的範囲から逸脱することなく、説明した実施形態に様々な変更を加えることができる。
【符号の説明】
【００９８】
１００  ＬＴＥ通信システム
１０４  ｅＮｏｄｅＢ
１０６、２００  ＵＥユニット
２０２  処理リソース
２０４  トランシーバモジュール
２１０  アンテナ
３００  ハードウェアサブシステム
３０２、５１２  遅延要素
３０６  送信機チェーン
３０８  第１の受信機チェーン
３１０  第２の受信機チェーン
３１２  ＤＡＣ要素
３１４  送信信号ミキサ要素
３１８  駆動増幅器要素
３２２  バラン要素
３２４  電力増幅器要素
３２８  双方向通信化要素／デュプレクサ
３３０  アンテナスイッチ
３３８  第１のアンテナ
３４０  第２のアンテナ
３４３  第１の低ノイズ増幅器要素
３４４  第１の受信信号ミキサ要素
３４８  第１のＡＤＣ要素
３５０  信号スイッチ
３６０  第２の低ノイズ増幅器要素
３６２  第２の受信信号ミキサ要素
３６６  第２のＡＤＣ要素
３７２  ＴＡＳ管理要素
３７３  受信経路増幅機構／受信経路増幅ステージ
３８０  ＡＧＣ要素
５００  トランシーバＩＣ
５０２  バッファ
５０４  デジタル受信増幅機構
５０６  第１のデジタルゲイン要素
５０８  第２のデジタルゲイン要素
５１０  ＰＤＣＣＨデコーダ
【図１】
2019504546.tif 000003
【図２】
2019504546.tif 000004
【図３】
2019504546.tif 000005
【図４】
2019504546.tif 000006
【図５】
2019504546.tif 000007
【図６】
2019504546.tif 000008
【図７】
2019504546.tif 000009
【国際調査報告】
2019504546.tif 000010
2019504546.tif 000011
2019504546.tif 000012
2019504546.tif 000013
2019504546.tif 000014